(57)【要約】【課題】底面に連なる内周面の一部が入浴者の背部を支える背凭れ部として機能する浴槽において、背凭れ部により背部を支えられた入浴者の土踏まずを積極的に支持することができる。【解決手段】底面２に連なる内周面３の一部である背凭れ部３０が入浴者の背部を支え、背凭れ部３０の上部に入浴者の後頭部を支える枕部３１が形成され、背凭れ部３０に対向する面３２から底部２にかけて凸形に膨出した足置部４が設けられ、足置部４の縁４０が面取されて入浴者の足を支える。また、足置部４は、幅方向に所定の曲率半径で湾曲する湾曲部分を有する。【選択図】図１
2010284398.tif 000002
【特許請求の範囲】
【請求項１】
底面に連なる内周面の一部が入浴者の背部を支える背凭れ部として機能する浴槽において、
前記背凭れ部の上部に形成された前記入浴者の後頭部を支える枕部と、
前記背凭れ部と対向する位置に設けられた内周面から前記底面にかけて凸形に膨出している前記入浴者の足裏を支える足置部と
を備え、
該足置部は、幅方向が前記背凭れ部と対向する方向と交差し、前記幅方向の中央部が前記背凭れ部に向かって最も膨出するとともに前記幅方向の両端側にかけて徐々に前記内周面に収束するように所定の曲率半径で湾曲する湾曲部分を有し、縁が面取されていることを特徴とする浴槽。
【請求項２】
前記背凭れ部は、上部から前記底面に向かって下り勾配を有し、
前記枕部は、前記入浴者の後頭部を支える部分の傾斜が前記下り勾配より緩やかになるように前記背凭れ部の上部に切欠形成されていることを特徴とする請求項１に記載の浴槽。
【請求項３】
底面に連なる内周面の一部が入浴者の背部を支える背凭れ部として機能する浴槽において、
前記背凭れ部と対向する位置に設けられた内周面から前記底面にかけて凸形に膨出している前記入浴者の足裏を支える足置部と
を備え、
該足置部は、幅方向が前記背凭れ部と対向する方向と交差し、前記幅方向の中央部が前記背凭れ部に向かって最も膨出するとともに前記幅方向の両端側にかけて徐々に前記内周面に収束するように所定の曲率半径で湾曲する湾曲部分を有し、該湾曲部分の前記幅方向の両端が前記湾曲部分より前記背凭れ部と対向する位置方向に凹み入浴者の踏み込みスペースを形成する形状に形成されていることを特徴とする浴槽。
【請求項４】
前記底面は、前記背凭れ部との対向方向と直交する短手方向の長さについて、前記背凭れ部寄りの前記短手方向の長さより前記足置部寄りの前記短手方向の長さが長くなるように形成されていることを特徴とする請求項１又は２に記載の浴槽。
【請求項５】
前記足置部は、所定の曲率半径が５００ｍｍ以上８００ｍｍ以下に設定されていることを特徴とする請求項１乃至３の何れかに記載の浴槽。
【請求項６】
前記足置部は、前記底面から前記縁までの高さ及び／又は前記内周面から前記縁までの出幅が１００ｍｍ以下に設定されていることを特徴とする請求項１乃至４の何れかに記載の浴槽。
【発明の詳細な説明】
【技術分野】
【０００１】
本発明は、底面の周囲に立設された内周面の一部が入浴者の背部を支える背凭れとして機能する浴槽に関する。
【背景技術】
【０００２】
浴槽は、和式、洋式及び和洋折衷式に分けられる。和式の浴槽は、深さがあるため入浴者を肩まで浸からせることができるが、全長が短いため、膝を立てた座位での入浴を強いて入浴者に圧迫感を与えている。そこで、近年、膝を曲げることなく入浴させることができる洋式又は和洋折衷式の浴槽が広く採用されている。
【０００３】
しかし、洋式及び和洋折衷式の浴槽は、背臥位の状態から上半身を少し起こした半座位の姿勢で入浴させるものであって浴槽内での姿勢を不安定なものにするから、入浴者の背部及び足などを支持する手段が必要となる。
【０００４】
そこで、従来、内周面の一部を入浴者の背部を支える背凭れとし、背凭れに対向する内周面に入浴者の足を支えるフットレスト（以下足置部という）に設けた浴槽が提案された（例えば、特許文献１乃至４）。
【０００５】
【特許文献１】特開平１１−２１６０７６号公報
【特許文献２】特開平９−１２２０３２号公報
【特許文献３】特開平１０−３２３２９４号公報
【特許文献４】特開平９−２０６２３５号公報
【発明の概要】
【発明が解決しようとする課題】
【０００６】
しかしながら、特許文献１に記載された浴槽は、背凭れから足置部までの距離が統一されているため、大柄な入浴者に対して膝を曲げた窮屈な姿勢を強い、小柄な入浴者に対して足が足置部に届かずに浴槽内で不安定な姿勢を強いていた。このように、先に提案された浴槽は、誰もがくつろげる入浴姿勢をとり難いという問題を有している。
【０００７】
また、特許文献２乃至４に記載された浴槽は、背凭れから足置部までの距離の設定が数種類に限られるとともに、足を置く場所が決まっているため、特許文献１に記載された浴槽と同様に、誰もがくつろげる入浴姿勢をとり難いという問題を有している。
【０００８】
また、特許文献１乃至４に記載された浴槽は、足置部によって入浴者の足を支持する方向が１種類に限られているため、入浴者の下肢の動きに制限を与えていた。特に、特許文献２乃至４に記載された浴槽は、足を置く部分が略平面をなして足裏全体を支持するようになっているため、下肢と足首との角度にも制限を与えていた。このように、先に提案された浴槽は、足置部を備えることにより、却って入浴姿勢を限定している。
【０００９】
この点、例えば、足置部が足裏を点又は線で支持すれば、入浴者は、下肢を自由に動かすことができる。特に、土踏まずには神経が多数集中しており人の姿勢情報の入力センサとなるので、足置部が土踏まずを支持できれば、入浴者は、自らの入浴姿勢を把握し易くなり、入浴姿勢を最も安定させることができる。
【００１０】
本発明はかかる事情を鑑みてなされたものであり、内周面から底部にかけて凸形に膨出している足置部の形状に工夫を加えることにより、入浴姿勢を極力制限することなく、誰でもがくつろげる入浴姿勢をとり易い浴槽を提供することを目的とする。
【課題を解決するための手段】
【００１１】
本発明に係る浴槽は、底面に連なる内周面の一部が入浴者の背部を支える背凭れ部として機能する浴槽において、前記背凭れ部の上部に形成された前記入浴者の後頭部を支える枕部と、前記背凭れ部と対向する位置に設けられた内周面から前記底面にかけて凸形に膨出している前記入浴者の足裏を支える足置部とを備え、該足置部は、幅方向が前記背凭れ部と対向する方向と交差し、前記幅方向の中央部が前記背凭れ部に向かって最も膨出するとともに前記幅方向の両端側にかけて徐々に前記内周面に収束するように所定の曲率半径で湾曲する湾曲部分を有し、縁が面取されていることを要件とする。
【００１２】
本発明に係る浴槽は、枕部と足置部とを備えることにより、入浴者の後頭部と土踏まずの二点を支持する。また、内周面から底面にかけて凸形に膨出している足置部の縁によって入浴者の足裏を線で支持することにより、下肢の動きを制限しないようにできる。また、幅方向中央部が最も膨出するとともに幅方向の両端側にかけて除々に内周面に収束するように湾曲する部分を有することにより、小柄な入浴者の足を幅方向中央部にて支持し、大柄な入浴者の足を幅方向の両端側で支持するなど、体格差に応じて入浴者の足を確実に支持することができる。また、足置部が所定の曲率半径で湾曲することにより、入浴者が自らの下肢の力を開放した姿勢、即ち、大股骨を外側に捻り両膝を外側に向く蟹股姿勢をとる場合であっても、足を無理なく支持することができる。また、縁を面取することにより、入浴者の土踏まずに痛みを与えないようにする。
【００１３】
また、本発明に係る浴槽は、前記背凭れ部は、上部から前記底面に向かって下り勾配を有し、前記枕部は、前記入浴者の後頭部を支える部分の傾斜が前記下り勾配より緩やかになるように前記背凭れ部の上部に切欠形成されていることを要件としてもよい。
【００１４】
また、本発明に係る浴槽は、底面に連なる内周面の一部が入浴者の背部を支える背凭れ部として機能する浴槽において、前記背凭れ部と対向する位置に設けられた内周面から前記底面にかけて凸形に膨出している前記入浴者の足裏を支える足置部とを備え、該足置部は、幅方向が前記背凭れ部と対向する方向と交差し、前記幅方向の中央部が前記背凭れ部に向かって最も膨出するとともに前記幅方向の両端側にかけて徐々に前記内周面に収束するように所定の曲率半径で湾曲する湾曲部分を有し、該湾曲部分の前記幅方向の両端が前記湾曲部分より前記背凭れ部と対向する位置方向に凹み入浴者の踏み込みスペースを形成する形状に形成されていることを要件としてもよい。
【００１５】
本発明に係る浴槽は、内周面から底面にかけて凸形に膨出している足置部の縁によって入浴者の足裏を線で支持することにより、下肢の動きを制限しないようにできる。また、幅方向中央部が最も膨出するとともに幅方向の両端側にかけて除々に内周面に収束するように湾曲する部分を有することにより、小柄な入浴者の足を幅方向中央部にて支持し、大柄な入浴者の足を幅方向の両端側で支持するなど、体格差に応じて入浴者の足を確実に支持することができる。また、足置部が所定の曲率半径で湾曲することにより、入浴者が自らの下肢の力を開放した姿勢、即ち、大股骨を外側に捻り両膝を外側に向く蟹股姿勢をとる場合であっても、足を無理なく支持することができる。また、入浴者の踏み込みスペースを設けることにより、浴槽の出入りを容易にする。
【００１６】
また、本発明に係る浴槽は、前記底面は、前記背凭れ部との対向方向と直交する短手方向の長さについて、前記背凭れ部寄りの前記短手方向の長さより前記足置部寄りの前記短手方向の長さが長くなるように形成されていることを要件としてもよい。
【００１７】
また、本発明に係る浴槽は、前記足置部は、所定の曲率半径が５００ｍｍ以上８００ｍｍ以下に設定されていることを要件としてもよい。
【００１８】
更にまた、本発明に係る浴槽は、前記足置部は、前記底面から前記縁までの高さ及び／又は前記内周面から前記縁までの出幅が１００ｍｍ以下に設定されていることを要件としてもよい。
【発明の効果】
【００１９】
本発明に係る浴槽は、入浴者に自らの土踏まずを押し当てさせることができ、入浴者の土踏まずを確実に支持することができる。また、入浴者の下肢の動きを制限しないようにでき、圧迫感を与えないように入浴させることができる。また、体格差によって異なる入浴者の足を確実に支持することができる。また、蟹股姿勢など開放的な入浴姿勢をとる場合であっても、入浴者の足を確実に支持することができる。
【図面の簡単な説明】
【００２０】
【図１】本発明に係る浴槽の構成を示す側面断面図である。
【図２】本発明に係る浴槽の構成を示す平面図である。
【図３】本発明に係る浴槽の使用例を示す側面図である。
【図４】本発明に係る浴槽の使用例を示す平面図である。
【図５】本発明に係る浴槽の使用例を示す側面図である。
【発明を実施するための形態】
【００２１】
本発明に係る浴槽の構成及び作用を本実施の形態を示す図面に基づいて説明する。図１は本発明に係る浴槽の構成を示す側面断面図、図２は本発明に係る浴槽の構成を示す平面図、図３は本発明に係る浴槽の使用例を示す側面図、図４は本発明に係る浴槽の使用例を示す平面図である。図１乃至４において、１は浴槽である。浴槽１は、底面２と、底面２に連なる内周面３と、内周面３の一部に設けられた背凭れ部３０とを有する。
【００２２】
底面２は、平面視略長方形をなしている。ここでいう略長方形とは、四角が丸みを帯びている形状を含む。底部２は、一部に排水口２０を有する。
【００２３】
内周面３は、上端に框部３３を有する。框部３３は、入浴者５（以下入浴者という）が手摺りとして用いる。框部３３は、浴槽１の上端に開口をなしている。
【００２４】
背凭れ部３０は、内周面３の短手辺に連なる面のいずれかに設けられている。背凭れ部３０は、底面２に向かって下り勾配を有する。背凭れ部３０は、下り勾配の傾斜に沿って入浴者の背部を支えることにより、背臥位の状態から上半身を少し起こした半座位の姿勢を保持する。背凭れ部３０は、上部に枕部３１を有する。
【００２５】
枕部３１は、入浴者の後頭部を支える。枕部３１は、背凭れ部３０の上部を切り欠いて背凭れ部３０の下り勾配より角度Ｄだけ緩やかな傾斜をなしている。枕部３１は、入浴者の後頭部の丸みを無理なく支える。角度Ｄは、入浴者の後頭部の丸みを鑑みて、３０°以上４０°以下に設定されている。
【００２６】
内周面３は、背凭れ部３０と対向する位置に面３２を有する。面３２は、底面２に向かって下り勾配をなしている。面３２から底面２にかけての一部に凸形の膨らみを有し、一つの段をなしている。段は、入浴者の足を支える足置部４となる。足置部４は、底面２から立ち上がる側面と、面３２からせり出した上面とを有し、側面と上面との境に縁４０を有する。
【００２７】
底面２から縁４０までの高さ（以下寸法Ｌ１という）及び面３２から縁４０までの出幅（以下寸法Ｌ２という）は、入浴者が自らの土踏まずを縁４０に押し当て易いように設定されている（図３参照）。
【００２８】
入浴者は、自然な姿勢で入浴した場合、踵が底面２側に位置し、つま先が面３２側に位置する。その結果、踵及びつま先を結んだ仮想辺（図示せず）、寸法１の辺、及び寸法２の辺がなす直角二等辺三角形（図示せず）が仮想的にできあがる。
【００２９】
ここで成人男性の平均的な足裏サイズは２５０ｍｍ以上２８０ｍｍ以下である。仍って、この足裏サイズを仮想辺の長さとした場合、寸法Ｌ１及び寸法Ｌ２は、仮想辺の長さを２の平方根で割った値、即ち、１７０ｍｍ以上２００ｍｍ以下となる。
【００３０】
ところで、土踏まずは足裏の略中間に形成されている。従って、土踏まずを積極的に支持するには、縁４０が仮想辺の中点、即ち、８５ｍｍ以上１００ｍｍ以下に位置していなければならない。仍って、寸法Ｌ１及びＬ２は、８５ｍｍ以上１００ｍｍ以下、即ち、少なくとも１００ｍｍ以下に設定されている。足置部４は、土踏まずのみを線で支持することができ、踵又はつま先が底面２又は面３２に押し付けられることがないようにできる。また、その程度の膨らみであれば、入浴者が面３２を背にした姿勢で入浴する場合であっても、入浴者の腰部や背部に圧迫感を与えることはない（図５参照）。
【００３１】
また、縁４０は、押し当てられた土踏まずを痛めないように面取されている。縁４０は、例えば、曲率の半径（以下曲率半径Ｒ１という）がＲ３０に設定されている。なお、本実施の形態における曲率半径の単位は、ｍｍ（ミリメートル）とする。
【００３２】
また、縁４０は、幅方向が背凭れ部３０と面３２とが対向する方向（以下対向方向という）と交差している。幅方向の長さ（以下寸法Ｌ３という）は、対向方向に直交する方向の長さを示し、成人男性の肩幅程度、即ち、４００ｍｍ以上５００ｍｍ以下に設定されている。その結果、足置部４は、入浴者が、足を肩幅程度に広げた入浴姿勢をとる場合であっても、足裏を支持することができる。
【００３３】
また、縁４０は、所定の曲率半径（以下曲率半径Ｒ２という）で湾曲された湾曲部分を有する。湾曲部分は、幅方向の中央部が背凭れ部３０に向かって最も膨らみ、幅方向の両端側にかけて徐々に面３２に近づいている。その結果、足置部４は、中央部が背凭れ部３０に最も近くなり、両端側が背凭れ部３０から最も遠くなるので、中央部で小柄な入浴者の足を支持し、両端側で大柄な入浴者の足を支持することができる。
【００３４】
また、曲率半径Ｒ２は、最適な値が発明者の鋭意努力により導き出され、具体的には、Ｒ５００以上Ｒ８００以下に設定されている。その結果、足置部４は、入浴者の両膝が閉じられている場合の足裏が向く方向のみならず、蟹股姿勢のときの足裏が向く方向であっても、自然な形で支えることができる。
【００３５】
また、縁４０は、湾曲部分の幅方向の両端が、背凭れ部３０と対向する位置方向に凹んだ形状をなしており、凹んだ部分（以下凹部４１という）を入浴者が踏み込みためのスペースとしている。足置部４は、入浴者が面３２側から入浴しようとする場合であっても、凹部４１を介して、入浴者の足を底面２に接地させる。また、入浴者が面３２側から出ようとする場合であっても、凹部４１を介して、入浴者の足を底面２に接地させる。
【００３６】
また、底面２は、入浴者の下肢の動きを限定しないような形状をなしている。底面２は、平面視略長方形の短手方向が対向方向と直交する。底面２は、足置部４寄りの短手方向の長さ（以下寸法Ｗ２という）が、背凭れ部３０寄りの短手方向の長さ（以下寸法Ｗ１という）よりも長くなるように形成されている。即ち、浴槽１は、足置部４付近の空間が背凭れ部３０付近の空間より広くなるように形成されている。その結果、浴槽１は、入浴者が蟹股姿勢をとる場合であっても、外側を向く両膝に圧迫感を与えないようにできる（図４参照）。
【００３７】
また、浴槽１は、長手方向の内周面３を背にした入浴者が足置部４付近の空間に入浴したり、足置部４付近の空間に大柄な父親が入浴するとともに背凭れ部３０付近に小柄な子供が入浴したりするなど、様々な入浴姿勢に対応することができる。
【００３８】
底面２は、背凭れ部３０から足置部４に向かって緩やかな下り勾配をなしている。その結果、底面２は、枕部３１で支える入浴者の後頭部よりも足置部４で支える入浴者の土踏まずに体重がかかるように調整することができる（図３参照）。
【００３９】
図５は開示の浴槽の使用例を示す側面図である。浴槽１は、背凭れ部３０寄りの框部３３の高さよりも面３２寄りの框部３３の高さが寸法Ｌ４だけ低くなるように形成されている（図１参照）。その結果、浴槽１は、入浴者が面３２を背にした姿勢で入浴する場合であっても、手首を自然な角度にしたまま框部３３を掴むことができ、無理な力を入れることなく立ち上がることができる。
【００４０】
即ち、人は、浴槽１から立ち上がる場合、頚・体幹を屈曲し重心を足に移動する前傾相と、体幹を前に引き出すとともに膝が前に滑り出る前進相と、重心を上に持ち上げる伸展相とを行う。入浴者は、下り傾斜の框部３３を掴み、框部３３に対して垂直方向に上肢を突っ張ることにより、足方向から上方への重心移動を円滑に行うことができ、前傾相、前進相及び伸展相を円滑に行うことができる。
【符号の説明】
【００４１】
１  浴槽
２  底面
２０  排水口
３  内周面
３０  背凭れ部
３１  枕部
３２  面
３３  框部
４  足置部
４０  縁
４１  凹部
５    入浴者
【図１】
2010284398.tif 000003
【図２】
2010284398.tif 000004
【図３】
2010284398.tif 000005
【図４】
2010284398.tif 000006
【図５】
2010284398.tif 000007